(57)【特許請求の範囲】
【請求項１】
１又は２以上の端末装置と、
前記各端末装置と通信するサーバ装置と、を含む管理システムであって、
前記端末装置は、
１又は２以上の領域のデータを含む電子文書に関する、電子文書情報を取得する文書情報取得部と、
前記電子文書情報の表示処理を制御する文書表示制御部と、
前記各領域の閲覧順序を含む、閲覧情報を管理する閲覧情報管理部と、
前記閲覧情報、及び誤情報領域を識別するための情報を前記サーバ装置に送信する端末装置通信部と、
を備え、
前記誤情報領域は、誤った情報が記載されている前記領域であり、
前記サーバ装置は、
前記端末装置から前記閲覧情報、及び前記誤情報領域を識別するための情報を受信するサーバ装置通信部と、
前記電子文書の前記各領域に対応する前記閲覧情報と、当該閲覧情報に対応する前記領域を識別するための情報を、前記誤情報領域を識別するための情報として受信した回数とに基づいて、当該各領域に対応する評価値を算出する評価値算出部と、
を備える管理システム。
【請求項２】
前記サーバ装置は、前記評価値に基づいて、前記各領域の出力優先順位、出力の有無情報の少なくともいずれかを決定する文書制御部をさらに備える、請求項１に記載の管理システム。
【請求項３】
前記サーバ装置は、１又は２以上の電子文書に関する、前記電子文書情報を記憶する電子文書情報記憶部をさらに備え、
前記文書制御部は、前記各領域の前記出力優先順位、前記各領域の前記有無情報の少なくともいずれかに基づいて、前記電子文書情報を更新し、更新した電子文書情報を前記電子文書情報記憶部に記憶させる、請求項２に記載の管理システム。
【請求項４】
前記端末装置は、位置情報を取得する位置情報取得部をさらに備え、
前記閲覧情報管理部は、前記位置情報に基づいて、自端末装置の位置が所定の範囲内である場合、前記閲覧情報を管理し、自端末装置の位置が予め定められた所定の範囲内ではない場合、前記閲覧情報の管理をせず、
前記評価値算出部は、前記所定の範囲内の位置における閲覧に対応する、前記閲覧情報に基づいて、前記評価値を算出する、請求項１乃至３のいずれか一に記載の管理システム。
【請求項５】
前記端末装置は、ユーザの入力操作を受け付ける端末装置入力部と、
前記端末装置入力部に対する入力操作に基づいて、前記誤情報領域を識別するための情報を取得するコメント情報管理部をさらに備える、請求項１乃至４のいずれか一に記載の管理システム。
【請求項６】
前記閲覧情報は、前記各領域の閲覧時間、閲覧回数、閲覧頻度の少なくともいずれかをさらに含む、請求項１乃至５のいずれか一に記載の管理システム。
【請求項７】
１又は２以上の領域のデータを含む電子文書に関する、電子文書情報を取得する文書情報取得部と、
前記電子文書情報の表示処理を制御する文書表示制御部と、
前記各領域の閲覧順序を含む、閲覧情報を管理する閲覧情報管理部と、
誤情報領域を識別する情報を取得するコメント情報管理部と、
前記電子文書の前記各領域に対応する前記閲覧情報と、当該閲覧情報に対応する前記領域を識別するための情報を、前記誤情報領域を識別するための情報として取得した回数とに基づいて、当該各領域に対応する評価値を算出する評価値算出部と、
を備え、
前記誤情報領域は、誤った情報が記載されている前記領域である端末装置。
【請求項８】
閲覧情報を記憶する端末装置記憶部を備える端末装置が実行する情報管理方法であって、
１又は２以上の領域のデータを含む電子文書に関する、電子文書情報を取得する工程と、
前記電子文書情報の表示処理を制御する工程と、
前記各領域の閲覧順序を含む、前記閲覧情報を管理する管理工程と、
誤情報領域を識別する情報を取得する工程と、
前記電子文書の前記各領域に対応する前記閲覧情報と、当該閲覧情報に対応する前記領域を識別するための情報を、前記誤情報領域を識別するための情報として取得した回数とに基づいて、当該各領域に対応する評価値を算出する工程と、
を含み、
前記誤情報領域は、誤った情報が記載されている前記領域である情報管理方法。
【請求項９】
閲覧情報を記憶する端末装置記憶部を備える端末装置を制御するコンピュータに実行させるプログラムであって、
１又は２以上の領域のデータを含む電子文書に関する、電子文書情報を取得する処理と、
前記電子文書情報の表示処理を制御する処理と、
前記各領域の閲覧順序を含む、閲覧情報を管理する管理処理と、
誤情報領域を識別する情報を取得する処理と、
前記電子文書の前記各領域に対応する前記閲覧情報と、当該閲覧情報に対応する前記領域を識別するための情報を、前記誤情報領域を識別するための情報として取得した回数とに基づいて、当該各領域に対応する評価値を算出する処理と、
を前記コンピュータに実行させ、
前記誤情報領域は、誤った情報が記載されている前記領域であるプログラム。
【発明の詳細な説明】
【技術分野】
【０００１】
本発明は、管理システム、端末装置、情報管理方法、及び情報管理プログラムに関し、特に、電子文書の管理システム、端末装置、情報管理方法、及び情報管理プログラムに関する。
【背景技術】
【０００２】
近年、製品のマニュアル等の技術文書は、電子データの形式で提供されることが多い。そのような電子データ形式の技術文書等（以下、電子文書と呼ぶ）においては、製品の操作手順、情報の重要度とは無関係な順序で、情報が記載される場合がある。その場合、当該技術文書の閲覧者は、各作業工程に必要な情報の記載箇所を、当該技術文書から探す必要がある。
【０００３】
特許文献１において、保守点検マニュアルのマニュアルセクション（章、節、頁）を特定し、マニュアルセクションに対する閲覧頻度を計数し、閲覧頻度に基づいて、標準作業手順書を更新する技術が記載されている。具体的には、特許文献１において開示された技術では、各マニュアルセクションの閲覧時間、閲覧回数に基づいて、既存の標準作業手順書に、新たな情報を追加するか否かを判断する。
【０００４】
また、特許文献２において、電子マニュアルの項目毎に閲覧頻度を算出し、閲覧頻度の多い順番に、電子マニュアルの各項目の配列を配列する技術が記載されている。
【先行技術文献】
【特許文献】
【０００５】
【特許文献１】特開２００９−０４２９６０号公報
【特許文献２】特開２００５−１０７６６９号公報
【発明の概要】
【発明が解決しようとする課題】
【０００６】
なお、上記先行技術文献の開示を、本書に引用をもって繰り込むものとする。以下の分析は、本発明の観点からなされたものである。
【０００７】
上述の通り、電子文書においては、閲覧者の利便性を考慮せず、情報が並べられる場合がある。例えば、電子文書が製品の保守マニュアルである場合、保守作業者は、保守マニュアルを閲覧しながら、保守作業を実施するとする。その場合、作業効率を向上させるために、保守マニュアルは、利便性が高いことが望ましい。
【０００８】
ここで、利便性の高い保守マニュアルとは、作業工程の順に、必要な情報が記載されている電子文書を意味する。ここで、必要な情報とは、保守マニュアルの管理者等が、各作業工程において必要であろうと想定する情報ではなく、保守マニュアルの閲覧者自身が必要であると認める情報である。
【０００９】
さらに、利便性の高い保守マニュアルとは、重要な情報ほど、優先して記載されている電子文書を意味する。ここでも、重要な情報とは、保守マニュアルの管理者等が重要であろうと想定する情報ではなく、保守マニュアルの閲覧者自身が重要であると認める情報である。
【００１０】
ところで、特許文献１に記載された技術においては、保守マニュアルが、予め、作業工程順に記載されていることが前提となっている。そのため、保守マニュアルが作業工程順に記載されていない場合、特許文献１に記載された技術では、閲覧者にとって有益な情報を効率的に把握することはできない。
【００１１】
また、特許文献２に記載された技術においては、閲覧頻度の多い順番に、電子文書の各項目を配列する。しかし、例えば、電子文書が保守マニュアルである場合、閲覧頻度と、作業工程の順番との間には、相関関係はない。そのため、特許文献２に記載された技術では、閲覧者にとって有益な情報を効率的に把握することはできない場合がある。
【００１２】
そこで、本発明は、電子文書の閲覧において、閲覧者にとって有益な情報を、効率的に把握することに貢献する管理システム、端末装置、情報管理方法、及び情報管理プログラムを提供することを目的とする。
【課題を解決するための手段】
【００１３】
本発明の第１の視点によれば、１又は２以上の端末装置と、前記各端末装置と通信するサーバ装置と、を含む管理システムであって、
前記端末装置は、１又は２以上の領域のデータを含む電子文書に関する、電子文書情報を取得する文書情報取得部と、前記電子文書情報の表示処理を制御する文書表示制御部と、前記各領域の閲覧順序を含む、閲覧情報を管理する閲覧情報管理部と、前記閲覧情報、及び誤情報領域を識別するための情報を前記サーバ装置に送信する端末装置通信部と、を備え、前記誤情報領域は、誤った情報が記載されている前記領域であり、
前記サーバ装置は、前記端末装置から前記閲覧情報、及び前記誤情報領域を識別するための情報を受信するサーバ装置通信部と、前記電子文書の前記各領域に対応する前記閲覧情報と、当該閲覧情報に対応する前記領域を識別するための情報を、前記誤情報領域を識別するための情報として受信した回数とに基づいて、当該各領域に対応する評価値を算出する評価値算出部と、を備える管理システムが提供される。
【００１４】
本発明の第２の視点によれば、１又は２以上の領域のデータを含む電子文書に関する、電子文書情報を取得する文書情報取得部と、前記電子文書情報の表示処理を制御する文書表示制御部と、前記各領域の閲覧順序を含む、閲覧情報を管理する閲覧情報管理部と、誤情報領域を識別する情報を取得するコメント情報管理部と、前記電子文書の前記各領域に対応する前記閲覧情報と、当該閲覧情報に対応する前記領域を識別するための情報を、前記誤情報領域を識別するための情報として取得した回数とに基づいて、当該各領域に対応する評価値を算出する評価値算出部と、を備え、前記誤情報領域は、誤った情報が記載されている前記領域である端末装置が提供される。
【００１５】
本発明の第３の視点によれば、閲覧情報を記憶する端末装置記憶部を備える端末装置が実行する情報管理方法であって、１又は２以上の領域のデータを含む電子文書に関する、電子文書情報を取得する工程と、前記電子文書情報の表示処理を制御する工程と、前記各領域の閲覧順序を含む、前記閲覧情報を管理する管理工程と、誤情報領域を識別する情報を取得する工程と、前記電子文書の前記各領域に対応する前記閲覧情報と、当該閲覧情報に対応する前記領域を識別するための情報を、前記誤情報領域を識別するための情報として取得した回数とに基づいて、当該各領域に対応する評価値を算出する工程と、を含み、前記誤情報領域は、誤った情報が記載されている前記領域である情報管理方法が提供される。
なお、本方法は、閲覧情報を管理する端末装置という、特定の機械に結び付けられている。
【００１６】
本発明の第４の視点によれば、閲覧情報を記憶する端末装置記憶部を備える端末装置を制御するコンピュータに実行させるプログラムであって、１又は２以上の領域のデータを含む電子文書に関する、電子文書情報を取得する処理と、前記電子文書情報の表示処理を制御する処理と、前記各領域の閲覧順序を含む、閲覧情報を管理する管理処理と、誤情報領域を識別する情報を取得する処理と、前記電子文書の前記各領域に対応する前記閲覧情報と、当該閲覧情報に対応する前記領域を識別するための情報を、前記誤情報領域を識別するための情報として取得した回数とに基づいて、当該各領域に対応する評価値を算出する処理と、を前記コンピュータに実行させ、前記誤情報領域は、誤った情報が記載されている前記領域であるプログラムが提供される。
なお、本プログラムは、コンピュータが読み取り可能な記憶媒体に記録することができる。記憶媒体は、半導体メモリ、ハードディスク、磁気記録媒体、光記録媒体等の非トランジェント（non-transient）なものとすることができる。本発明は、コンピュータプログラム製品として具現することも可能である。
【発明の効果】
【００１７】
本発明の各視点によれば、本発明は、電子文書の閲覧において、閲覧者にとって有益な情報を、効率的に把握することに貢献する管理システム、端末装置、情報管理方法、及び情報管理プログラムが提供される。
【図面の簡単な説明】
【００１８】
【図１】一実施形態の概要を説明するための図である。
【図２】第１の実施形態に係る管理システム１の全体構成の一例を示すブロック図である。
【図３】第１の実施形態に係る端末装置２の内部構成の一例を示すブロック図である。
【図４】サーバ装置３の内部構成の一例を示すブロック図である。
【図５】閲覧情報テーブルの一例を示す図である。
【図６】第１の実施形態に係る管理システム１の動作の一例を示すフローチャートである。
【図７】第１の実施形態に係る端末装置２の動作の一例を示すフローチャートである。
【図８】第１の実施形態に係るサーバ装置３の動作の一例を示すフローチャートである。
【図９】第２の実施形態に係る管理システム１ａの全体構成の一例を示すブロック図である。
【図１０】第２の実施形態に係る端末装置２ａの内部構成の一例を示すブロック図である。
【図１１】第３の実施形態に係る端末装置２の内部構成の一例を示す図である。
【図１２】閲覧情報テーブルの一例を示す図である。
【図１３】第３の実施形態に係る端末装置２の動作の一例を示すフローチャートである。
【図１４】第４の実施形態に係る端末装置２の内部構成の一例を示すブロック図である。
【図１５】閲覧情報テーブルの一例を示す図である。
【図１６】閲覧情報テーブルの一例を示す図である。
【図１７】第５の実施形態に係る端末装置２の内部構成の一例を示すブロック図である。
【図１８】誤情報領域管理テーブルの一例を示す図である。
【図１９】第５の実施形態に係る管理システム１の動作の一例を示すフローチャートである。
【図２０】第５の実施形態に係るサーバ装置３の動作の一例を示すフローチャートである。
【発明を実施するための形態】
【００１９】
初めに、図１を用いて一実施形態の概要について説明する。なお、この概要に付記した図面参照符号は、理解を助けるための一例として各要素に便宜上付記したものであり、この概要の記載はなんらの限定を意図するものではない。
【００２０】
上述の通りに、電子文書の閲覧において、閲覧者にとって有益な情報を、効率的に把握することに貢献する管理システムが望まれる。
【００２１】
そこで、一例として図１に示す管理システム１００を提供する。管理システム１００は、１又は２以上の端末装置１１０と、各端末装置１１０と通信するサーバ装置１２０と、を含む。端末装置１１０は、文書情報取得部１１１と、文書表示制御部１１２と、閲覧情報管理部１１３と、端末装置通信部１１４と、を備える。サーバ装置１２０は、サーバ装置通信部１２１と、評価値算出部１２２と、を備える。
【００２２】
文書情報取得部１１１は、１又は２以上の領域のデータを含む電子文書に関する、電子文書情報を取得する。文書表示制御部１１２は電子文書情報の表示処理を制御する。閲覧情報管理部１１３は、電子文書内の各領域の閲覧順序を含む、閲覧情報を管理する。端末装置通信部１１４は、閲覧情報管理部１１３が管理する閲覧情報を、サーバ装置１２０に送信する。ここで、電子文書情報とは、１又は２以上の領域（ページ等）から構成される文書を、電子化したデータを意味する。電子文書は、例えば、製品等の保守作業のためのマニュアルであっても良い。
【００２３】
サーバ装置通信部１２１は、端末装置１１０から閲覧情報を受信する。評価値算出部１２２は、電子文書の各領域に対応する閲覧情報に基づいて、当該各領域に対応する評価値を算出する。
【００２４】
端末装置１１０は、電子文書情報を取得し、電子文書情報を表示する。そして、端末装置１１０は、各ページ等に対する、閲覧者の関心度を評価する指標となる情報を、閲覧情報として管理する。例えば、端末装置１１０は、各領域が表示される順番、即ち閲覧順序を、閲覧情報として記憶しても良い。ここで、端末装置１１０は、電子文書情報を表示させている際には、継続的に、かつ自動的に、閲覧情報を管理することが好ましい。
【００２５】
そして、端末装置１１０は、記憶した閲覧情報をサーバ装置１２０に送信する。サーバ装置１２０は、受信した閲覧情報に基づいて、電子文書の各ページ等に対する、閲覧者の関心度を示す、評価値を算出する。つまり、管理システム１００は、文書の閲覧において、自動的に閲覧情報を管理し、各ページ等に対する、閲覧者の関心度を評価する。そのため、管理システム１００は、閲覧者にとって有益な情報を、効率的に把握することに貢献する。
【００２６】
［第１の実施形態］
第１の実施形態について、図面を用いてより詳細に説明する。
【００２７】
図２は、本実施形態に係る管理システム１の全体構成の一例を示すブロック図である。管理システム１は、１又は２以上の端末装置２と、サーバ装置３と、を含んで構成される。なお、図２は、本実施形態に係る管理システム１の全体構成を、図２で示す構成に限定する趣旨ではない。
【００２８】
端末装置２は、ネットワーク４を介して、サーバ装置３と接続する。ここで、ネットワーク４は、電話回線、インターネット、ＬＡＮ（Local Area Network）等を含む。ネットワークは各種の方式が存在するがその詳細は問わない。
【００２９】
端末装置２は、通信機能を備え、電子文書をユーザに提示する機能を備える情報処理端末である。端末装置２は、携帯電話、スマートフォン、タブレット端末、ＰＣ（Personal Computer）等であっても良い。端末装置２は、以下で説明する機能を実現できれば、その詳細は問わない。
【００３０】
サーバ装置３は、各通信端末２と通信する。サーバ装置３は、電子文書の閲覧に関する閲覧情報を、端末装置２から受信する。また、サーバ装置３は、受信した閲覧情報を解析し、電子文書の各ページ等の評価値を算出する。さらに、サーバ装置３は、算出した評価値に基づいて、各ページ等に対応する出力優先順位、出力の有無等を決定する。
【００３１】
次に、端末装置２の内部構成について説明する。
【００３２】
図３は、端末装置２の内部構成の一例を示すブロック図である。端末装置２は、端末装置通信部２１０と、端末装置入力部２２０と、端末装置記憶部２３０と、端末装置表示部２４０と、端末装置制御部２５０と、を含んで構成される。端末装置制御部２５０は、文書情報取得部２５１と、文書表示制御部２５２と、閲覧情報管理部２５３と、を含んで構成される。図３は、簡単のため、本実施形態に係る端末装置２に関係するモジュールを主に記載する。
【００３３】
図３に示す各モジュールは、端末装置２に搭載されたコンピュータに、そのハードウェアを用いて、端末装置２の処理を実行させるコンピュータプログラムにより実現しても良い。
【００３４】
以下、図３に示す各モジュールに関して、詳細に説明する。
【００３５】
端末装置通信部２１０は、端末装置２と、サーバ装置３との通信処理を制御する。具体的には、端末装置通信部２１０は、閲覧情報をサーバ装置３に送信する。また、端末装置通信部２１０は、サーバ装置３から、電子文書情報を受信しても良い。閲覧情報に関する詳細は後述する。
【００３６】
端末装置入力部２２０は、ユーザの入力操作を受け付ける。端末装置入力部２２０は、ユーザの入力操作を受け付けることができれば、タッチパネル、マウス、キーボード等であっても良く、その詳細は問わない。
【００３７】
端末装置記憶部２３０は、端末装置２の動作に必要な情報を記憶する。例えば、端末装置記憶部２３０は、電子文書の表示処理を実行するプログラム、閲覧情報を管理するプログラム等を記憶する。また、端末装置記憶部２３０は閲覧情報を記憶する。また、端末装置記憶部２３０は、閲覧対象の電子文書情報を記憶する。また、端末装置記憶部２３０は、電子文書情報をサーバ装置３から取得するための情報（以下、検索キー情報と呼ぶ）を記憶する。検索キー情報は、電子文書を識別するための情報（以下、電子文書識別情報と呼ぶ）を含むことが好ましい。例えば、電子文書識別情報は、電子文書の名前であっても良い。
【００３８】
端末装置表示部２４０は、電子文書情報を表示する。端末装置表示部２４０は、液晶パネル、有機ＥＬ（Electro Luminescence）パネル等であっても良い。
【００３９】
なお、以下の説明では、端末装置表示部２４０が表示する電子文書の範囲（例えば、電子文書の各ページ等）を、「閲覧対象の領域」と呼ぶ。また、閲覧対象の領域を識別するための情報（例えば、ページ番号等）を、「閲覧領域識別情報」と呼ぶ。また、以下の説明では、端末装置表示部２４０が、電子文書の所定の領域（例えば、電子文書の各ページ等）を表示開始することを、「閲覧開始」と呼ぶ。さらに、以下の説明では、端末装置表示部２４０が、電子文書の当該領域を表示終了することを、「閲覧終了」と呼ぶ。
【００４０】
端末装置制御部２５０は、端末装置２の全体を制御すると共に、図３に示す各部を制御する。以下、端末装置制御部２５０の詳細について、説明する。
【００４１】
文書情報取得部２５１は、１又は２以上の領域のデータを含む電子文書に関する、電子文書情報を取得する。例えば、電子文書情報は、１又は２以上のページから構成される文書を電子化した情報であっても良い。
【００４２】
文書情報取得部２５１は、端末装置通信部２１０を介して、サーバ装置３から電子文書情報を取得（ダウンロード）しても良い。または、文書情報取得部２５１は、外部記憶装置から、電子文書情報を取得しても良い。外部記憶装置は、ＵＳＢ（Universal Serial Bus）メモリ、ＣＤ（Compact Disk）、ＤＶＤ（Digital Versatile Disk）等、各種あるが、その詳細は問わない。
【００４３】
文書表示制御部２５２は、電子文書情報の表示処理を制御する。具体的には、文書表示制御部２５２は、電子文書情報における閲覧対象の領域を決定する。そして、文書表示制御部２５２は、決定した閲覧対象の領域に対応する電子文書情報を、端末装置表示部２４０に出力する。
【００４４】
閲覧情報管理部２５３は、各領域の閲覧順序を含む、閲覧情報を管理する。また、閲覧情報管理部２５３は、各領域の閲覧の有無情報を、閲覧情報としてさらに管理しても良い。そして、閲覧情報管理部２５３は、電子文書識別情報と、閲覧情報と、を対応付けたテーブル（以下、閲覧情報テーブルと呼ぶ）を生成する。
【００４５】
具体的には、閲覧情報管理部２５３は、電子文書識別情報と、領域を識別するための情報と、閲覧順序と、各領域の閲覧の有無情報と、を対応付けたテーブルを、閲覧情報テーブルとして生成する。そして、閲覧情報管理部２５３は、生成した閲覧情報テーブルを、端末装置記憶部２３０に記憶させる。なお、閲覧情報管理部２５３は、閲覧情報を管理する対象外とするページ番号等を、予め、登録しておいても良い。
【００４６】
なお、電子文書における各ページを、閲覧対象の領域の単位としても良い。又は、電子文書における所定の大きさの領域を、閲覧対象の領域の単位としても良い。つまり、１ページに、閲覧対象の２以上の領域が含まれても良い。あるいは、電子文書における各行を、閲覧対象の領域の単位としても良い。なお、閲覧対象の領域は、適宜決定しても良く、その詳細は問わない。
【００４７】
以下、閲覧情報管理部２５３が、閲覧情報として、各領域の閲覧順序を管理する場合について説明する。
【００４８】
例えば、閲覧情報管理部２５３は、閲覧対象の領域の閲覧順序（即ち、表示順序）を、電子文書識別情報と対応付けてリスト化し、端末装置記憶部２３０に記憶しても良い。ここで、電子文書識別情報とは、電子文書の名称等であっても良い。
【００４９】
具体的には、閲覧情報管理部２５３は、閲覧対象の領域が変更された場合、閲覧開始した領域の閲覧領域識別情報（例えば、ページ番号等）を、閲覧順序としてリスト化しても良い。または、閲覧情報管理部２５３は、閲覧対象の領域が変更された場合、閲覧終了した領域の閲覧領域識別情報（例えば、ページ番号等）を、閲覧順序としてリスト化しても良い。なお、閲覧情報管理部２５３は、閲覧順序のリストのサイズの上限を、予め設定しておいても良い。具体的には、閲覧情報管理部２５３は、電子文書情報の表示開始から、所定の数のページ数を閲覧するまで、閲覧したページ番号を、閲覧順序としてリスト化しても良い。そして、閲覧情報管理部２５３は、閲覧順序を示すリストと、電子文書識別情報とを対応づけて端末装置記憶部２３０に記憶しても良い。
【００５０】
次に、閲覧情報管理部２５３が、閲覧情報として、各領域の閲覧の有無情報を管理する場合について説明する。
【００５１】
例えば、閲覧情報管理部２５３は、閲覧対象の領域が変更された場合、閲覧対象のページに関して、閲覧の有無情報として、閲覧有のフラグを設定しても良い。そして、電子文書の表示終了後に、閲覧情報管理部２５３は、閲覧されなかったページ番号をリスト化し、電子文書識別情報と対応付けて、端末装置記憶部２３０に記憶しても良い。
【００５２】
次に、サーバ装置３の内部構成について説明する。
【００５３】
図４は、サーバ装置３の内部構成の一例を示すブロック図である。サーバ装置３は、サーバ装置通信部３１０と、サーバ装置入力部３２０と、サーバ装置記憶部３３０と、サーバ装置制御部３４０と、閲覧情報記憶部３５０と、電子文書情報記憶部３６０と、評価情報記憶部３７０と、を含んで構成される。サーバ装置制御部３４０は、評価値算出部３４１と、文書制御部３４２と、を含んで構成される。図４は、簡単のため、本実施形態に係るサーバ装置３に関係するモジュールを主に記載する。
【００５４】
図４に示す各モジュールは、サーバ装置３に搭載されたコンピュータに、そのハードウェアを用いて、サーバ装置３の処理を実行させるコンピュータプログラムにより実現しても良い。
【００５５】
以下、図４に示す各モジュールについて詳細に説明する。
【００５６】
サーバ装置通信部３１０は、端末装置２と、サーバ装置３との通信処理を制御する。具体的には、サーバ装置通信部３１０は、端末装置２から閲覧情報を受信する。より具体的には、サーバ装置通信部３１０は、端末装置２から閲覧情報テーブルを受信する。また、サーバ装置通信部３１０は、端末装置２からの要求に応じて、電子文書情報を端末装置２に送信する。
【００５７】
サーバ装置入力部３２０は、ユーザの入力操作を受け付ける。サーバ装置入力部３２０は、ユーザの入力操作を受け付けることができれば、タッチパネル、マウス、キーボード等であっても良く、その詳細は問わない。
【００５８】
サーバ装置記憶部３３０は、サーバ装置３の動作に必要な情報を記憶する。また、サーバ装置記憶部３３０は、評価値を算出するための評価関数を記憶する。評価値の算出については、詳細は後述する。
【００５９】
サーバ装置制御部３４０は、サーバ装置３の全体を制御すると共に、図４に示す各部を制御する。
【００６０】
次に、サーバ装置制御部３４０の詳細について説明する。
【００６１】
評価値算出部３４１は、電子文書の各領域に対応する閲覧情報に基づいて、当該各領域に対応する評価値を算出する。具体的には、評価値算出部３４１は、サーバ装置記憶部３３０から評価関数を読み出す。そして、評価値算出部３４１は、電子文書の各領域に対応する閲覧情報を入力パラメータとして、評価関数に入力し、当該各領域に対応する評価値を算出する。そして、評価値算出部３４１は、算出した評価値を、評価情報記憶部３７０に記憶させる。評価情報記憶部３７０の詳細は、後述する。
【００６２】
例えば、評価値算出部３４１は、閲覧順序が早い領域ほど、評価値が高くなるように重み付けして評価値を算出しても良い。また、例えば、評価値算出部３４１は、閲覧されなかった領域に対しては、評価値を低下させるように重み付けしても良い。
【００６３】
文書制御部３４２は、評価値に基づいて、電子文書における各領域の出力優先順位、出力の有無情報の少なくともいずれかを決定する。そして、文書制御部３４２は、電子文書における各領域の出力優先順位、出力有無情報の少なくともいずれかに基づいて、電子文書情報を更新し、更新した電子文書情報を電子文書情報記憶部３６０に記憶させる。電子文書情報記憶部３６０の詳細は後述する。
【００６４】
具体的には、文書制御部３４２は、出力優先順位が高い領域ほど、先に表示されるようにデータを並び替えて、電子文書情報を更新する。例えば、文書制御部３４２は、評価値が高いページほど、当該ページの出力優先順位を高く決定しても良い。その場合、文書制御部３４２は、評価値の高いページほど先に表示されるように、電子文書情報における各ページを並び替えて、電子文書情報を更新しても良い。
【００６５】
また、例えば、文書制御部３４２は、評価値が所定の閾値より低い領域を、電子文書の出力対象から除外しても良い。つまり、文書制御部３４２は、所定の閾値以下の評価値の領域を除外して、電子文書情報を更新してもよい。
【００６６】
閲覧情報記憶部３５０は、端末装置２から受信した閲覧情報を記憶する。例えば、閲覧情報記憶部３５０は、電子文書識別情報毎の閲覧情報テーブルを記憶しても良い。
【００６７】
電子文書情報記憶部３６０は、１又は２以上の電子文書に関する、電子文書情報を記憶する。ここで、電子文書情報記憶部３６０は、１または２以上の電子文書のデータと、当該電子文書の電子文書識別情報とを対応付けて記憶することが好ましい。
【００６８】
評価情報記憶部３７０は、電子文書情報の各領域に対応する評価値、出力優先順位、出力の有無情報を記憶する。例えば、評価情報記憶部３７０は、電子文書識別情報と、各領域を識別するための情報と、当該領域に対応する評価値と、出力優先順位と、出力の有無情報とを対応付けたテーブルを記憶しても良い。
【００６９】
また、サーバ装置制御部３４０は、電子文書情報の各領域に対応する評価値、出力優先順位、出力の有無情報等を、サーバ装置表示部（図示せず）に表示しても良い。または、サーバ装置制御部３４０は、サーバ装置通信部３１０を介して、所定の宛先に、電子文書情報の各領域に対応する評価値等を送信しても良い。具体的には、文書制御部３４２は、電子文書の管理者等に電子メール等を用いて、電子文書情報の各領域に対応する評価値等を通知しても良い。あるいは、サーバ装置制御部３４０は、電子文書情報の各領域に対応する評価値等を、スピーカ（図示せず）を用いて音声出力しても良い。評価値等の出力方法は各種あるが、その詳細は問わない。
【００７０】
次に、管理システム１の動作について説明する。なお、以下では、閲覧対象の領域の単位を、電子文書の各ページとして説明する。
【００７１】
まず、電子文書情報を取得する処理について説明する。
【００７２】
図６は、電子文書情報を取得する処理の一例を示すフローチャートである。
【００７３】
まず、文書情報取得部２５１は、閲覧対象の電子文書に関する電子文書識別情報を取得する（ステップＳ１）。文書情報取得部２５１は、端末装置入力部２２０に対する操作に基づいて、閲覧対象の電子文書名等を、電子文書識別情報として取得する。電子文書が保守マニュアルである場合、文書情報取得部２５１は保守対象の製品型番等を、電子文書識別情報として取得しても良い。
【００７４】
ステップＳ２において、文書情報取得部２５１は、取得した電子文書識別情報を検索キー情報として、端末装置記憶部２３０に記憶する。
【００７５】
ステップＳ３において、端末装置通信部２１０は、検索キー情報をサーバ装置３に送信する。そして、サーバ装置通信部３１０は、検索キー情報を受信する（ステップＳ４）。
【００７６】
ステップＳ５において、サーバ装置制御部３４０は、受信した検索キー情報をキーとして、電子文書情報記憶部３６０から電子文書情報を抽出する。
【００７７】
ステップＳ６において、サーバ装置通信部３１０は、抽出した電子文書情報を端末装置２に送信する。そして、端末装置通信部２１０は、電子文書情報を受信する（ステップＳ７）。つまり、端末装置通信部２１０は、サーバ装置３から電子文書情報をダウンロードする。
【００７８】
そして、文書表示制御部２５２は、電子文書情報を、閲覧可能な状態にする（ステップＳ８）。具体的には、文書表示制御部２５２は、電子文書の表示処理を実行するアプリケーションプログラムを実行する。そして、図７に示すステップＳ２１に遷移する。
【００７９】
次に、閲覧情報を管理する処理について説明する。
【００８０】
図７は、閲覧情報を管理する処理の一例を示すフローチャートである。
【００８１】
ステップＳ２１において、閲覧情報管理部２５３は、閲覧情報の初期値を設定する。ステップＳ２２において、閲覧対象のページが変更されたか否かを、閲覧情報管理部２５３は判断する。
【００８２】
閲覧対象のページが変更された場合（ステップＳ２２のＹｅｓ分岐）には、閲覧情報管理部２５３は、閲覧対象のページとして、変更後のページを設定する（ステップＳ２３）。そして、閲覧情報管理部２５３は、閲覧対象のページを閲覧順序のリストに追加する（ステップＳ２４）。そして、閲覧情報管理部２５３は、閲覧対象のページに関して、閲覧の有無情報として、閲覧有のフラグを設定する（ステップＳ２５）。そして、ステップＳ２２に戻り、処理を継続する。
【００８３】
一方、閲覧対象のページが変更されていない場合（ステップＳ２２のＮｏ分岐）には、電子文書の表示終了処理が実行されたか否かを、端末装置制御部２５０は判断する（ステップＳ２６）。電子文書の表示終了処理が実行された場合（ステップＳ２６のＹｅｓ分岐）には、閲覧情報管理部２５３は、閲覧した電子文書情報に対応する閲覧情報テーブルを生成する（ステップＳ２７）。そして、図８に示す「Ａ」（ステップＳ３０）に遷移し、図８に示すステップＳ３１に遷移する。一方、電子文書の表示終了処理が実行されていない場合（ステップＳ２６のＮｏ分岐）には、ステップＳ２２に遷移し、処理を継続する。
【００８４】
次に、出力優先順位等を決定する処理について説明する。
【００８５】
図８は、出力優先順位等を決定する処理の一例を示すフローチャートである。
【００８６】
ここで、閲覧情報管理部２５３は、閲覧情報テーブルを生成したとする。その場合、ステップＳ３１において、閲覧情報管理部２５３は、端末装置通信部２１０を介して、生成した閲覧情報テーブルを送信する。そして、サーバ装置通信部３１０は、閲覧情報テーブルを受信する（ステップＳ４１）。
【００８７】
ステップＳ４２において、評価値算出部３４１は、受信した閲覧情報テーブルに基づいて、評価値を算出する。具体的には、評価値算出部３４１は、閲覧順序、閲覧の有無情報に基づいて、各ページに対応する評価値を算出する。
【００８８】
ステップＳ４３において、電子文書情報の更新が必要であるか否かを、文書制御部３４２は判断する。具体的には、各ページの出力順序を変更することが必要であるか否かを、文書制御部３４２は判断する。また、出力不要なページが存在するか否かを、文書制御部３４２は判断しても良い。
【００８９】
電子文書情報の更新が必要である場合（ステップＳ４３のＹｅｓ分岐）には、文書制御部３４２は、算出した評価値に基づいて、出力優先順位、及び出力の有無情報を決定する（ステップＳ４４）。そして、文書制御部３４２は、出力優先順位、及び出力の有無情報に基づいて、対応する電子文書情報を更新する（ステップＳ４５）。そして、文書制御部３４２は、更新した電子文書情報を電子文書情報記憶部３６０に格納する（ステップＳ４６）。そして、ステップＳ４７に遷移する。一方、電子文書情報の更新が必要ではない場合（ステップＳ４３のＮｏ分岐）には、ステップＳ４７に遷移する。
【００９０】
ステップＳ４７において、サーバ装置制御部３４０は、閲覧情報テーブル、評価値等を出力する。具体的には、サーバ装置制御部３４０は、閲覧情報テーブル、評価値等を表示画面に出力、所定の宛先への送信等の処理を実行する。例えば、サーバ装置制御部３４０は、ネットワークを介して接続する端末装置２に、閲覧情報テーブル、評価値等を送信しても良い。その場合、閲覧情報テーブル、評価値等を受信した端末装置２において、電子文書情報の各領域の閲覧結果を共有することができる。
【００９１】
［変形例１］
本実施形態に係る管理システム１の変形例１として、サーバ装置３は、評価値に基づいて、検索結果の優先順位を変更しても良い。具体的には、サーバ装置３が、電子文書内に、所定のキーワードが含まれるか否かを検索する場合を考える。そして、２以上の箇所が検索結果として抽出されるとする。その場合に、サーバ装置３は、検索結果の出力順序を、評価値に基づいて決定しても良い。つまり、サーバ装置３は、評価値の高いページほど、上位の検索結果として出力しても良い。
【００９２】
［変形例２］
本実施形態に係る管理システム１の変形例２として、端末装置２が出力優先順位等に基づいて、電子文書情報を更新して、表示しても良い。具体的には、端末装置通信部２１０は、閲覧対象の各領域に対応する出力優先順位を、サーバ装置３から取得する。そして、文書表示制御部２５２は、端末装置通信部２１０が取得する出力優先順位に基づいて、電子文書情報の閲覧対象の各領域を出力する。なお、電子文書情報の閲覧情報を管理する端末装置２と、当該電子文書情報の出力優先順位を取得する端末装置２と、が異なる端末装置であっても良い。
【００９３】
以上のように、本実施形態に係る管理システム１は、閲覧情報に基づいて、電子文書内の各領域に対する、閲覧者の関心度を評価する。従って、本実施形態に係る管理システム１は、電子文書の閲覧の効率化に貢献する。また、本実施形態に係る管理システム１は、閲覧者にとって必要な情報を迅速に提示することに貢献する。
【００９４】
また、本実施形態に係る管理システム１は、２以上の端末装置２において、閲覧情報を共有させることに貢献する。そのため、本実施形態に係る管理システム１を利用することで、各閲覧者は、他者の閲覧情報を有効活用することができる。また、本実施形態に係る管理システム１を利用することで、電子文書の管理者等は、電子文書内において、閲覧者にとって必要な情報、及び表示順序に関して、効率的に情報を得ることができる。
【００９５】
また、電子文書情報の各領域に対応する評価値等を出力することで、電子文書等の管理者は、当該電子文書の閲覧結果のフィードバックを得ることができる。その結果、電子文書の管理者等は、閲覧者にとっての情報の必要性を評価することができる。そして、電子文書等の管理者等は、電子文書情報の各領域に対応する評価値等を参考にして、当該電子文書を更新する際の参考にすることができる。
【００９６】
例えば、電子文書が製品等の保守マニュアルであるとする。そして、閲覧者は、保守作業者であり、保守マニュアルを閲覧しながら、保守作業を実施したとする。そして、その際に、保守マニュアルを表示する端末装置２は、閲覧順序を管理したとする。そして、サーバ装置３は、閲覧順序に基づいて、評価値を算出し、算出した評価値を出力したとする。その場合、電子文書の管理者等は、算出された評価値に基づいて、予め想定した順番で、保守作業者が作業をしたか否かを確認できる。
【００９７】
また、サーバ装置３が出力優先順位を決定し、出力優先順位に基づいて電子文書情報を更新したとする。その場合、本実施形態に係る管理システム１は、保守マニュアルの確認効率を向上させることができる。なぜなら、保守作業者は、保守マニュアルから、必要な情報が記載されたページを探す時間を低減できるからである。
【００９８】
また、保守マニュアルを表示する端末装置２は、閲覧の有無情報を管理するとする。そして、サーバ装置３は、閲覧の有無情報に基づいて、各領域に対応する出力の有無情報を生成するとする。その場合、電子文書の管理者等は、保守作業に不必要な情報を判断することができる。さらに、電子文書の管理者等は、閲覧されていない情報がある場合、その情報に関係する装置、部品等は障害を起こしていないと推測できる場合もある。
【００９９】
さらに、サーバ装置３が出力有無情報に基づいて、必要な情報を除外した電子文書情報を生成したとする。その場合、不必要な情報が除外されるため、保守作業者が保守マニュアルを閲覧する際に、保守マニュアルの確認効率を向上させることができる。
【０１００】
［第２の実施形態］
次に第２の実施形態について、詳細に説明する。
【０１０１】
本実施形態は、端末装置が評価値を算出する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【０１０２】
図９は、本実施形態に係る管理システム１ａの全体構成の一例を示すブロック図である。図２に示す管理システム１と、図９に示す管理システム１ａとの相違点は、図９に示す管理システム１ａは、サーバ装置３を含まない点である。
【０１０３】
図１０は、本実施形態に係る端末装置２ａの内部構成の一例を示すブロック図である。図３に示す端末装置２と、図１０に示す端末装置２ａとの相違点は、図１０に示す端末装置２ａは、評価値算出部３４１と、文書制御部３４２と、閲覧情報記憶部３５０と、電子文書情報記憶部３６０と、評価情報記憶部３７０と、を含む点である。評価値算出部３４１、文書制御部３４２、閲覧情報記憶部３５０、電子文書情報記憶部３６０、及び評価情報記憶部３７０の機能は、上記の実施形態と同様であるため、詳細な説明は省略する。
【０１０４】
以上のように、本実施形態に係る管理システム１ａは、サーバ装置３を含まない構成である。そのため、本実施形態に係る管理システム１ａは、第１の実施形態に係る管理システム１より小規模のシステム構成であっても、第１の実施形態と同様の効果を奏することができる。
【０１０５】
［第３の実施形態］
次に、第３の実施形態について、詳細に説明する。
【０１０６】
本実施形態は、閲覧情報として、閲覧対象の領域に対応する閲覧時間、閲覧回数等をさらに管理する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【０１０７】
本実施形態に係る管理システム１の全体構成は、図２に示す管理システム１と同様であるため、詳細な説明は省略する。
【０１０８】
図１１は、本実施形態に係る端末装置２の内部構成の一例を示す図である。図３に示す端末装置２と、図１１に示す端末装置２との相違点は、図１１に示す端末装置２はタイマ２６０を含む点である。
【０１０９】
本実施形態に係る閲覧情報管理部２５３は、閲覧対象の各領域に対応する閲覧時間、閲覧回数、閲覧頻度の少なくともいずれかをさらに含む、閲覧情報を管理する。そして、閲覧情報管理部２５３は、閲覧情報を、端末装置記憶部２３０に記憶する。
【０１１０】
閲覧情報として、閲覧情報管理部２５３は、各領域の閲覧時間を管理する場合、各領域の閲覧開始から閲覧終了までの時間を閲覧時間として、タイマ２６０を用いて計測する。
【０１１１】
各領域の閲覧時間は、当該領域の情報の重要度と相対関係を有する。なぜなら、閲覧時間が長い領域の情報ほど、閲覧者にとって関心の高い情報である可能性があるからである。また、各領域の閲覧時間は、当該領域の情報の難易度と相対関係を有する。なぜなら、閲覧時間が長い領域の情報ほど、閲覧者にとって理解に時間を要する情報である可能性があるからである。
【０１１２】
また、閲覧情報として、閲覧情報管理部２５３は、各領域の閲覧回数を管理する場合、各領域の閲覧開始、又は閲覧終了した回数を、閲覧回数としてカウントしても良い。また、閲覧情報管理部２５３は、所定の単位時間内における各領域の閲覧回数を、各領域の閲覧頻度として算出しても良い。ここで、所定の単位時間とは、例えば、所定の秒数、分数、時間数、日数であっても良く、その詳細は問わない。
【０１１３】
各領域の閲覧回数、閲覧頻度は、当該領域の情報の重要度と相対関係を有する。なぜなら、閲覧回数が多い領域の情報（閲覧頻度が高い領域の情報）ほど、閲覧者にとって、頻繁に確認が必要な情報である可能性があるからである。
【０１１４】
図１２は、本実施形態に係る閲覧情報テーブルの一例を示す図である。図５に示す閲覧情報テーブルとの相違点は、図１２に示す閲覧情報テーブルは、電子文書の各ページに対応する閲覧時間、閲覧回数、閲覧頻度を含む点である。なお、図１２に示す閲覧時間、閲覧頻度の単位は、閲覧時間、閲覧頻度の単位を、図１２に示す単位に限定する趣旨ではない。
【０１１５】
本実施形態に係るサーバ装置３の内部構成は、図４に示すサーバ装置３と同一である。
【０１１６】
本実施形態に係る評価値算出部３４１は、閲覧対象の各領域に対応する閲覧時間、閲覧回数、閲覧頻度の少なくともいずれかの評価値を、さらに算出する。
【０１１７】
評価値算出部３４１は、各領域の閲覧時間の評価値を算出する場合、閲覧時間が長い領域ほど、評価値が高くなるように重み付けして評価値を算出する。また、評価値算出部３４１は、各領域の閲覧回数の評価値を算出する場合、閲覧回数が多い領域ほど、評価値が高くなるように重み付けして評価値を算出する。また、評価値算出部３４１は、各領域の閲覧頻度の評価値を算出する場合、閲覧頻度が高い領域ほど、評価値が高くなるように重み付けして評価値を算出する。
【０１１８】
次に、本実施形態にかかる端末装置２の動作について説明する。
【０１１９】
図１３は、本実施形態に係る端末装置２の動作の一例を示すフローチャートである。ステップＳ５１〜ステップＳ５５、及びステップＳ５７、ステップＳ５８は、図７に示すステップＳ２１〜ステップＳ２５、及びステップＳ２６、ステップＳ２７と同一であるため、詳細な説明は省略する。図７に示すフローチャートと、図１３に示すフローチャートとの相違点は、図１３に示すフローチャートは、ステップＳ５６の処理を含む点である。
【０１２０】
閲覧対象のページが変更された場合（ステップＳ５２のＹｅｓ分岐）には、閲覧情報管理部２５３は、変更前の閲覧ページに関して、閲覧時間、閲覧回数、閲覧頻度の少なくともいずれかを算出する（ステップＳ５６）。ここで、閲覧情報管理部２５３は、閲覧時間、及び／又は閲覧回数の上限を設定しても良い。そして、ステップＳ５２に戻り、処理を継続する。
【０１２１】
なお、閲覧情報管理部２５３は、閲覧時間を計測する際に、所定の単位時間（例えば３０秒）を設定し、その所定の単位時間を経過した回数をカウントしても良い。例えば、閲覧情報管理部２５３は、３０秒を単位時間として設定するとする。そして、閲覧者が、１分１５秒間、同一の領域を閲覧したとする。その場合には、閲覧情報管理部２５３は、単位時間以下の時間を切り捨て、閲覧時間＝単位時間＊２と判断しても良い。
【０１２２】
［変形例１］
本実施形態に係る管理システム１の変形例１として、文書表示制御部２５２は、予め関連付けられた領域を表示する際に、当該関連領域と、当該関連領域の評価値とを、併せて表示しても良い。
【０１２３】
［変形例２］
本実施形態に係る管理システム１の変形例２として、閲覧情報を管理する時刻範囲を、所定の時刻範囲内に限定しても良い。例えば、管理システム１は、閲覧情報を管理する時刻範囲を、勤務時間中に限定しても良い。例えば、電子文書が保守マニュアルであり、閲覧者が保守作業者であるとする。その場合、閲覧情報を管理する時刻範囲を、勤務時間中に限定することによって、より一層、実情に即した、保守マニュアルの活用状況を把握することができる。
【０１２４】
以上のように、本実施形態に係る管理システム１は、閲覧対象の領域に対応する閲覧時間、閲覧回数等をさらに管理する。そのため、本実施形態に係る管理システム１は、第１の実施形態に係る管理システム１と同様の効果を奏すると共に、詳細かつ有益な閲覧情報を管理することに貢献する。さらに、本実施形態に係る管理システム１は、詳細かつ有益な閲覧情報に基づいて、電子文書を更新することに貢献するため、より一層、電子文書の閲覧の効率化に貢献する。
【０１２５】
［第４の実施形態］
次に、第４の実施形態について、詳細に説明する。
【０１２６】
本実施形態は、端末装置が位置情報を取得し、位置情報と、閲覧情報とを対応付ける自形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【０１２７】
本実施形態に係る管理システム１の全体構成は、図２に示す管理システム１と同様であるため、詳細な説明は省略する。
【０１２８】
図１４は、本実施形態に係る端末装置２の内部構成の一例を示すブロック図である。図３に示す端末装置２と、図１４に示す端末装置２との相違点は、図１４に示す端末装置２は、位置情報取得部２７０を含む点である。
【０１２９】
位置情報取得部２７０は、位置情報を取得する。ここで、位置情報とは、自端末装置２が存在する位置を示す情報を意味する。例えば、位置情報取得部２７０は、ＧＰＳ（Global Positioning System）を利用して位置情報を取得しても良い。位置情報を取得する方法は各種あるが、その詳細は問わない。
【０１３０】
本実施形態に係る閲覧情報管理部２５３は、位置情報に基づいて、自端末装置２の位置が所定の範囲内である場合、閲覧情報を管理する。ここで、閲覧情報管理部２５３は、当該所定の範囲を、予め登録しておいても良い。
【０１３１】
さらに、閲覧情報管理部２５３は、閲覧情報と位置情報とを対応付けた閲覧情報テーブルを生成する。そして、評価値算出部３４１は、所定の範囲内の位置における閲覧に対応する、閲覧情報に基づいて、評価値を算出する。そして、評価値算出部３４１は、算出した評価値と、閲覧情報に対応付けられた位置情報と、を対応付けて、評価情報記憶部３７０に記憶する。また、評価値算出部３４１が、出力優先順位、出力の有無情報を算出した場合、出力優先順位、出力の有無情報と、閲覧情報に対応付けられた位置情報と、を対応付けて、評価情報記憶部３７０に記憶する。
【０１３２】
例えば、電子文書が製品等の保守マニュアルであるとする。そして、閲覧者は、保守作業者であるとする。そして、閲覧情報管理部２５３は、所定の顧客の所在地を、閲覧情報を管理する位置として登録するとする。その場合、閲覧情報管理部２５３は、登録された顧客の所在地における、保守作業時の閲覧情報を管理することができる。その結果、文書制御部３４２は、当該顧客の所在地における、保守作業に適した保守マニュアルとなるように、保守マニュアルを更新できる。
【０１３３】
また、閲覧情報管理部２５３は、保守作業者の拠点を、閲覧情報を管理する位置として登録しても良い。その場合、閲覧情報管理部２５３は、当該拠点に所属する保守作業者にとって必要な情報を示す、閲覧情報を管理できる。
【０１３４】
図１５、図１６は、本実施形態に係る閲覧情報テーブルの一例を示す図である。図５に示す閲覧情報テーブルと、図１５に示す閲覧情報テーブルとの相違点は、図１５に示す閲覧情報テーブルは、位置情報毎の閲覧情報を含む点である。例えば、図１５を参照すると、「顧客Ａの登録住所」において、７ページ目の閲覧順序は３番である。しかし、「事業所Ｐ」において、７ページ目は閲覧されていない。従って、図１５の場合、「顧客Ａの登録住所」において７ページ目の情報は必要な情報であるが、「事業所Ｐ」において、７ページ目の情報は必要な情報ではないといえる。そこで、文書制御部３４２は、「事業所Ｐ」のための保守マニュアルとして、７ページ目を除外した電子文書を生成しても良い。
【０１３５】
また、図１６に示す閲覧情報テーブルにおいては、閲覧情報は閲覧時間等を含む。図１２に示す閲覧情報テーブルと、図１６に示す閲覧情報テーブルとの相違点は、図１６に示す閲覧情報テーブルは、位置情報毎の閲覧情報を含む点である。
【０１３６】
以上のように、本実施形態に係る管理システム１は、閲覧場所毎に、対応する閲覧情報を管理できる。そして、本実施形態に係る管理システム１は、閲覧場所毎の閲覧結果を評価できる。その結果、本実施形態に係る管理システム１は、第１の実施形態に係る管理システム１と同様の効果を奏すると共に、どこでどのような情報が必要とされているかを、把握することに貢献する。
【０１３７】
さらに、本実施形態に係る管理システム１は、所定の閲覧場所に則した電子文書となるように、電子文書を更新できる。その結果、本実施形態に係る管理システム１は、より一層、閲覧者にとって有益な情報を、効率的に提供することに貢献する。
【０１３８】
［第５の実施形態］
次に、第５の実施形態について、詳細に説明する。
【０１３９】
本実施形態は、電子文書に対する、閲覧者のコメント等を収集する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【０１４０】
本実施形態に係る管理システム１の全体構成は、図２に示す管理システム１と同様であるため、詳細な説明は省略する。
【０１４１】
図１７は、本実施形態に係る端末装置２の内部構成の一例を示すブロック図である。図３に示す端末装置２と、図１７に示す端末装置２との相違点は、図１７に示す端末装置２は、コメント情報管理部２５４を含む点である。
【０１４２】
例えば、コメント情報管理部２５４は、閲覧者から報告される電子文書内の不備、要望等を管理する。以下、電子文書内において不備のあるページ等を、誤情報領域と呼ぶ。
【０１４３】
具体的に、コメント情報管理部２５４は、端末装置入力部２２０に対する入力操作に基づいて、誤情報領域を識別するための情報を取得する。例えば、閲覧者が、誤った情報が記載されたページ、行等を発見したとする。その場合、当該閲覧者は、端末装置入力部２２０を用いて、誤った情報が記載されたページ番号等（即ち、誤情報領域を識別するための情報）を入力する。そして、コメント情報管理部２５４は、入力された誤情報領域を識別するための情報を取得する。
【０１４４】
また、コメント情報管理部２５４は、端末装置入力部２２０に対する入力操作に基づいて、電子文書に対するコメント（以下、コメント情報と呼ぶ）を取得する。例えば、電子文書が、製品等の保守マニュアルであるとする。そして、閲覧者は、保守作業者であるとする。ここで、保守作業者は保守作業時に、端末装置入力部２２０を用いて、保守マニュアルに対する要望等を入力しても良い。その場合、コメント情報管理部２５４は、入力された保守マニュアルに対する要望等を、コメント情報として取得する。
【０１４５】
本実施形態に係る端末装置通信部２１０は、誤情報領域を識別するための情報、コメント情報をサーバ装置３に送信する。
【０１４６】
次に、本実施形態に係るサーバ装置３ついて説明する。
【０１４７】
本実施形態に係るサーバ装置３の内部構成は、図４に示すサーバ装置３と同様であるため、詳細な説明を省略する。
【０１４８】
本実施形態に係るサーバ装置通信部３１０は、誤情報領域を識別するための情報、コメント情報を端末装置２から受信する。本実施形態に係る閲覧情報記憶部３５０は、サーバ装置通信部３１０が受信した、誤情報領域を識別するための情報、及びコメント情報を、さらに記憶する。閲覧情報記憶部３５０は、誤情報領域であるとの情報を受信する回数（以下、誤情報領域の通知回数と呼ぶ）と、各領域を識別するための情報と、を対応付けたテーブル（以下、誤情報領域管理テーブル呼ぶ）を記憶しても良い。
【０１４９】
本実施形態に係る評価値算出部３４１は、誤情報領域を識別するための情報、及び閲覧情報に基づいて、各閲覧対象の領域の評価値を算出する。具体的には、評価値算出部３４１は、閲覧情報テーブル、及び誤情報領域管理テーブルに基づいて、評価値を算出する。
【０１５０】
より具体的には、評価値算出部３４１は、各閲覧対象の領域に対して、誤情報領域の通知回数をカウントする。そして、評価値算出部３４１は、誤情報領域の通知回数を、誤情報領域管理テーブルに登録する。そして、評価値算出部３４１は、誤情報領域管理テーブルを参照して、誤情報領域の通知回数に基づいて、評価値を算出する。
【０１５１】
具体的には、評価値算出部３４１は、各閲覧対象領域に対応する閲覧情報、及び当該領域に対応する誤情報領域の通知回数に基づいて、各閲覧対象の領域の評価値を算出する。例えば、評価値算出部３４１は、誤情報領域の通知回数が多いほど、評価値が低下するように重み付けして、評価値を算出しても良い。また、誤情報領域の通知回数が所定の閾値を超える場合には、当該領域を出力対象から除外するように、評価値算出部３４１は評価値を算出しても良い。
【０１５２】
また、サーバ装置制御部３４０は、サーバ装置通信部３１０が受信したコメント情報を出力しても良い。例えば、サーバ装置制御部３４０は、サーバ装置表示部（図示せず）に、コメント情報を表示しても良い。または、サーバ装置制御部３４０は、電子文書の管理者等に電子メール等を用いて、コメント情報を送信しても良い。コメント情報の出力方法は各種あるが、その詳細は問わない。
【０１５３】
図１８は、誤情報領域管理テーブルの一例を示す図である。具体的には、図１８は、誤情報を識別するための情報と、誤情報領域の通知回数とを対応付けたテーブルを示す。図１８の場合、閲覧領域識別情報はページ番号、及び行番号である。
【０１５４】
図１８の場合、３ページ目の１行目に対して、サーバ装置通信部３１０は、誤情報領域であるとの情報を、１０回受信したことを示す。また、図１８の場合、４ページ目の７行目に対して、サーバ装置通信部３１０は、誤情報領域であるとの情報を、１回受信したことを示す。また、サーバ装置制御部３４０が、図１８に示すテーブルを、当該電子文書の管理者等に電子メール等を用いて、通知したとする。その場合、当該電子文書の管理者等は、３ページ目の１行目について、情報の正誤を確認しても良い。その結果、当該電子文書の管理者等は、本実施形態に係る管理システム１を利用することにより、電子文書内の情報の正誤確認、及び電子文書の改訂を迅速に行うことができる。
【０１５５】
次に、本実施形態に係る管理システム１の動作について説明する。
【０１５６】
図１９は、誤情報領域を識別するための情報、及びコメント情報を収集する処理の一例をフローチャートである。
【０１５７】
ここで、閲覧情報管理部２５３は、閲覧した電子文書情報に対応する閲覧情報テーブルを生成したとする（図７に示すステップＳ２７、又は図１３に示すステップＳ５８）。その場合、図１９に示すステップＳ３２１に遷移する。なお、図７に示すステップＳ２７と、図１３に示すステップＳ５８との相違点は、閲覧情報テーブルに、閲覧時間、閲覧回数、閲覧頻度を含むか否かである。本実施形態についての説明においては、閲覧情報テーブルに、閲覧時間、閲覧回数、閲覧頻度を含むか否かは問わないものとする。
【０１５８】
ステップＳ３２１において、端末装置通信部２１０は、生成した閲覧情報テーブルを、サーバ装置３に送信する。そして、ステップＳ３２２に遷移する。また、サーバ装置通信部３１０は、端末装置２から閲覧情報テーブルを受信する（ステップＳ３３１）。
【０１５９】
ステップＳ３２２において、誤情報領域を識別するための情報が指定されたか否かを、コメント情報管理部２５４は判断する。誤情報領域を識別するための情報が指定された場合（ステップＳ３２２のＹｅｓ分岐）には、ステップＳ３２３に遷移する。一方、誤情報領域を識別するための情報が指定されていない場合（ステップＳ３２２のＮｏ分岐）には、ステップＳ３２４に遷移する。
【０１６０】
ステップＳ３２３において、端末装置通信部２１０は、誤情報領域を識別するための情報をサーバ装置３に送信する。そして、端末装置２においては、ステップＳ３２４に遷移する。また、サーバ装置通信部３１０は、誤情報領域を識別するための情報を受信する（ステップＳ３３２）。そして、評価値算出部３４１は、誤情報領域の通知回数をカウントする（ステップＳ３３３）。そして、評価値算出部３４１は、誤情報領域管理テーブルに誤情報領域の通知回数を登録する（ステップＳ３３４）。
【０１６１】
一方、端末装置２においては、ステップＳ３２４において、コメント情報が入力されたか否かを、コメント情報管理部２５４は判断する。コメント情報が入力された場合（ステップＳ３２４のＹｅｓ分岐）には、ステップＳ３２５に遷移する。一方、コメント情報が入力されていない場合（ステップＳ３２４のＮｏ分岐）には、図２０に示す「Ｂ」（ステップＳ３４０）に遷移し、図２０に示すステップＳ３４１に遷移する。
【０１６２】
ステップＳ３２５において、端末装置通信部２１０は、コメント情報をサーバ装置３に送信する。サーバ装置通信部３１０は、コメント情報を受信する（ステップＳ３３５）。そして、サーバ装置制御部３４０は、コメント情報と、電子文書識別情報とを対応付けて、表示画面に出力、所定の宛先に送信等の処理を実行する（ステップＳ３３６）。そして、図２０に示す「Ｂ」（ステップＳ３４０）に遷移し、図２０に示すステップＳ３４１に遷移する。
【０１６３】
図２０は、出力優先順位等を決定する処理の一例を示すフローチャートである。
【０１６４】
ステップＳ３４１において、評価値算出部３４１は、閲覧情報テーブル、及び誤情報領域管理テーブルに基づいて、評価値を算出する。そして、ステップＳ３４２に遷移する。なお、ステップＳ３４２〜ステップＳ３４６は、図８に示すステップＳ４３〜ステップＳ４７と同一であるため、詳細な説明は省略する。
【０１６５】
以上のように、本実施形態に係る管理システム１は、閲覧者から報告される電子文書内の不備、要望等を収集する。そのため、本実施形態に係る管理システム１は、迅速に、閲覧結果のフィードバックを得ることができる。従って、本実施形態に係る管理システム１は、第１の実施形態に係る管理システム１と同様の効果を奏すると共に、迅速に、電子文書を改訂することに貢献する。また、本実施形態に係る管理システム１は、閲覧者の閲覧作業と並行して、電子文書の修正依頼を実現することに貢献する。
【０１６６】
［第６の実施形態］
次に、第６の実施形態について、詳細に説明する。
【０１６７】
本実施形態は、閲覧者のスキル等に応じて、評価値を算出するときの重みを変更する形態である。なお、本実施形態における説明では、上記の実施形態と重複する部分の説明は省略する。さらに、本実施形態における説明では、上記の実施形態と同一の構成要素には、同一の符号を付し、その説明を省略する。また、本実施形態における説明では、上記の実施形態と同一の作用効果についても、その説明を省略する。
【０１６８】
本実施形態に係る管理システム１の全体構成は、図２に示す管理システム１と同様であるため、詳細な説明は省略する。また、本実施形態に係る端末装置２の内部構成は、図３に示す端末装置２の内部構成と同様であるため、詳細な説明は省略する。さらに、本実施形態に係るサーバ装置３の内部構成は、図４に示すサーバ装置３の内部構成と同様であるため、詳細な説明は省略する。
【０１６９】
本実施形態に係る閲覧情報管理部２５３は、端末装置入力部２２０に対する操作に基づいて、閲覧者のスキル情報を含む、閲覧者情報を取得する。例えば、電子文書が、製品等の保守マニュアルであるとする。そして、閲覧者は、保守作業者であるとする。その場合、閲覧者のスキル情報とは、対象の製品の保守作業に関して、熟練者であるか、初心者であるか等、保守技術者の熟練度を示す情報であっても良い。
【０１７０】
端末装置通信部２１０は、閲覧者情報をサーバ装置３に送信する。そして、本実施形態に係るサーバ装置通信部３１０は、端末装置２から閲覧者情報を受信する。
【０１７１】
評価値算出部３４１は、閲覧者情報に応じて、閲覧情報の各構成要素の重みを決定する。例えば、評価値算出部３４１は、所定の閲覧者の閲覧順序、閲覧時間等の評価値が高くなるように、重み付けして評価値を算出しても良い。つまり、評価値算出部３４１は、所定の閲覧者の閲覧情報を重視して、評価値を算出しても良い。ここで、所定の閲覧者とは、所定のスキルを有する閲覧者であっても良い。
【０１７２】
例えば、保守作業者が保守マニュアルを閲覧しながら、保守作業を実施する場合を考える。その場合、保守作業者の熟練度が高いほど、当該保守作業者は効率的な順序で、保守マニュアルを閲覧できる可能性が高い。つまり、保守作業者の熟練度が高いほど、当該保守作業者の閲覧順序等は、信頼性が高い。そのため、保守作業者の熟練度が高いほど、当該保守作業者の閲覧情報に基づいて、サーバ装置３が出力優先順位を決定することは有益である。
【０１７３】
一方、保守作業者の熟練度が低いほど、非効率的な順序で、保守マニュアルを閲覧する可能性が高い。つまり、保守作業者の熟練度が低いほど、当該保守作業者の閲覧順序等は、信頼性が低い。
【０１７４】
以上のように、本実施形態に係る管理システム１は、閲覧者のスキル等に応じて、評価値を算出するときの重みを変更する。そのため、本実施形態に係る管理システム１は、有益な閲覧者の閲覧情報を重視して、閲覧情報を評価することができる。また、本実施形態に係る管理システム１は、有益な閲覧者の閲覧情報に基づいて、電子文書を改訂することに貢献する。従って、本実施形態に係る管理システム１は、第１の実施形態と同様の効果を奏すると共に、より一層、重要かつ正確に電子文書を改訂することに貢献する。その結果、本実施形態に係る管理システム１は、より一層、情報の閲覧の効率化を促進することに貢献する。
【０１７５】
なお、上記の実施形態においては、端末装置２が端末装置表示部２４０を備えるとして説明した。しかし、管理システム１において、端末装置２の外部に表示装置が配置され、端末装置２と表示装置とが接続する構成であっても良い。その場合、各端末装置２は、接続する表示装置に電子文書情報を表示させても良い。
【０１７６】
また、上記の実施形態においては、説明のため、閲覧情報記憶部３５０、電子文書情報記憶部３６０、評価情報記憶部３７０を独立した記憶装置として説明した。しかし、閲覧情報記憶部３５０、電子文書情報記憶部３６０、評価情報記憶部３７０に格納される情報が、一つの記憶装置に格納されても良いことは勿論である。
【０１７７】
また、上記の実施形態における各記憶部は、例えば、２以上の閲覧者、閲覧時刻等に対応する閲覧情報の統計値（例えば、平均値）を記憶しても良い。また、上記の実施形態における各記憶部は、例えば、２以上の閲覧者、閲覧時刻等に対応する閲覧情報に基づいて算出された評価値の統計値（例えば、平均値）を記憶しても良い。
【０１７８】
また、上記の実施形態においては、テーブル形式でデータを保持する形態について説明した。しかし、これは、データ構造をテーブル形式に限定する趣旨ではない。データ構造は、適宜選択可能であることは勿論である。
【０１７９】
上述の実施形態の一部又は全部は、以下の付記のようにも記載され得るが、以下には限られない。
【０１８０】
（付記１）上記第１の視点に係る管理システムの通りである。
【０１８１】
（付記２）前記サーバ装置は、前記評価値に基づいて、前記各領域の出力優先順位、出力の有無情報の少なくともいずれかを決定する文書制御部をさらに備える、付記１に記載の管理システム。
【０１８２】
（付記３）前記サーバ装置は、１又は２以上の電子文書に関する、前記電子文書情報を記憶する電子文書情報記憶部をさらに備え、前記文書制御部は、前記各領域の前記出力優先順位、前記各領域の前記有無情報の少なくともいずれかに基づいて、前記電子文書情報を更新し、更新した電子文書情報を前記電子文書情報記憶部に記憶させる、付記２に記載の管理システム。
【０１８３】
（付記４）前記端末装置は、位置情報を取得する位置情報取得部をさらに備え、
前記閲覧情報管理部は、前記位置情報に基づいて、自端末装置の位置が所定の範囲内である場合、前記閲覧情報を管理し、自端末装置の位置が予め定められた所定の範囲内ではない場合、前記閲覧情報の管理をせず、前記評価値算出部は、前記所定の範囲内の位置における閲覧に対応する、前記閲覧情報に基づいて、前記評価値を算出する、付記１乃至３のいずれか一に記載の管理システム。
【０１８４】
（付記５）前記端末装置は、ユーザの入力操作を受け付ける端末装置入力部と、前記端末装置入力部に対する入力操作に基づいて、誤情報領域を識別するための情報を取得するコメント情報管理部と、をさらに備え、前記端末装置通信部は、前記誤情報領域を識別するための情報を、前記サーバ装置に送信し、前記評価値算出部は、前記誤情報領域を識別するための情報、及び前記閲覧情報に基づいて、前記各領域の前記評価値を算出する、付記１乃至４のいずれか一に記載の管理システム。
【０１８５】
（付記６）前記評価値算出部は、所定の前記領域に関して、誤情報領域とする通知回数をカウントし、前記各領域に対応する閲覧情報、及び当該領域に対応する誤情報領域の通知回数に基づいて、当該各領域の評価値を算出する、付記５に記載の管理システム。
【０１８６】
（付記７）前記閲覧情報は、前記各領域の閲覧時間、閲覧回数、閲覧頻度の少なくともいずれかをさらに含む、付記１乃至６のいずれか一に記載の管理システム。
【０１８７】
（付記８）上記第２の視点に係る端末装置の通りである。
【０１８８】
（付記９）上記第３の視点に係る情報管理方法の通りである。
【０１８９】
（付記１０）１又は２以上の領域のデータを含む電子文書に関する、電子文書情報を取得する工程と、前記電子文書情報の表示処理を制御する工程と、前記各領域の閲覧順序を含む、閲覧情報を管理する管理工程と、前記電子文書の前記各領域に対応する前記閲覧情報に基づいて、当該各領域に対応する評価値を算出する算出工程と、を含む情報管理方法。
【０１９０】
（付記１１）上記第４の視点に係るプログラムの通りである。
【０１９１】
（付記１２）１又は２以上の領域のデータを含む電子文書に関する、電子文書情報を取得する処理と、前記電子文書情報の表示処理を制御する処理と、前記各領域の閲覧順序を含む、閲覧情報を管理する管理処理と、前記電子文書の前記各領域に対応する前記閲覧情報に基づいて、当該各領域に対応する評価値を算出する算出処理と、を端末装置を制御するコンピュータに実行させるプログラム。
【０１９２】
なお、引用した上述の特許文献の開示は、本書に引用をもって繰り込むものとする。本発明の全開示（請求の範囲を含む）の枠内において、さらにその基本的技術思想に基づいて、実施形態ないし実施例の変更・調整が可能である。また、本発明の全開示の枠内において種々の開示要素（各請求項の各要素、各実施形態ないし実施例の各要素、各図面の各要素等を含む）の多様な組み合わせ、ないし、選択が可能である。すなわち、本明は、請求の範囲を含む全開示、技術的思想にしたがって当業者であればなし得るであろう各種変形、修正を含むことは勿論である。特に、本書に記載した数値範囲については、当該範囲内に含まれる任意の数値ないし小範囲が、別段の記載のない場合でも具体的に記載されているものと解釈されるべきである。
【符号の説明】
【０１９３】
１、１ａ、１００  管理システム
２、２ａ、１１０  端末装置
３、１２０  サーバ装置
４  ネットワーク
１１１、２５１  文書情報取得部
１１２、２５２  文書表示制御部
１１３、２５３  閲覧情報管理部
１１４、２１０  端末装置通信部
１２１、３１０  サーバ装置通信部
１２２、３４１  評価値算出部
２２０  端末装置入力部
２３０  端末装置記憶部
２４０  端末装置表示部
２５０  端末装置制御部
２５４  コメント情報管理部
２６０  タイマ
２７０  位置情報取得部
３２０  サーバ装置入力部
３３０  サーバ装置記憶部
３４０  サーバ装置制御部
３４２  文書制御部
３５０  閲覧情報記憶部
３６０  電子文書情報記憶部
３７０  評価情報記憶部
【図１】
0006021193.tif 000002
【図２】
0006021193.tif 000003
【図３】
0006021193.tif 000004
【図４】
0006021193.tif 000005
【図５】
0006021193.tif 000006
【図６】
0006021193.tif 000007
【図７】
0006021193.tif 000008
【図８】
0006021193.tif 000009
【図９】
0006021193.tif 000010
【図１０】
0006021193.tif 000011
【図１１】
0006021193.tif 000012
【図１２】
0006021193.tif 000013
【図１３】
0006021193.tif 000014
【図１４】
0006021193.tif 000015
【図１５】
0006021193.tif 000016
【図１６】
0006021193.tif 000017
【図１７】
0006021193.tif 000018
【図１８】
0006021193.tif 000019
【図１９】
0006021193.tif 000020
【図２０】
0006021193.tif 000021